(57)【特許請求の範囲】
【請求項１】
支持枠体に支持され遊技者が対面して遊技を行う遊技面を備えた遊技台と、
該遊技台に対して開閉可能に支持され同遊技面の前方に配置される扉枠と、
遊技機に隣り合うように配置されたパチンコ球貸し出し装置から延出される配球ノズルを介して供給されるパチンコ球を順次前記遊技台方向へと導くパチンコ球受け皿とを備え、
前記遊技台に導入されたパチンコ球に基づいて前記遊技面における所定の遊技動作を実行させるようにした遊技機において、
前記扉枠には前記パチンコ球受け皿よりも上方となる位置に前記配球ノズルが収容可能な切り欠き部を形成するとともに、前記扉枠内部にはパチンコ球受け皿にパチンコ球を流下させる流下通路を形成し、前記切り欠き部内であって前記配球ノズルのパチンコ球の供給位置の下方位置に前記流下通路の上方側の開口部を配置するようにしたことを特徴とする遊技機。
【請求項２】
パチンコ球を払い出す払出装置と、該払出装置によって払い出されたパチンコ球を前記パチンコ球受け皿へ導く主通路とを備え、
前記流下通路は、前記主通路に連通され、前記配給ノズルを介して供給されるパチンコ球は、前記払出装置によって払い出されたパチンコ球と共通のパチンコ球導入口を介して前記パチンコ球受け皿へ導かれることを特徴とする請求項１記載の遊技機。
【発明の詳細な説明】
【０００１】
【発明の属する技術分野】
本発明は、パチンコ遊技機やパチロット等のパチンコ球を使用する遊技機に関し、特に隣接するパチンコ球貸し出し装置等から上受け皿にパチンコ球の供給を受けることのできる遊技機に関するものである。
【０００２】
【従来の技術】
例えばパチンコ球を使用する遊技機の一種であるパチンコ遊技機においては、その側方の隣接するパチンコ遊技機との間の隙間に配設されたいわゆるサンドと呼称されるパチンコ球貸し出し装置から配球ノズルを介して遊技球を球受け台上に供給させるようにしている。（尚、いわゆるＣＲ機では一般に内部の払い出し機構を利用して遊技球を球受け台上に供給させるようにしているがＣＲ機でもパチンコ球貸し出し装置を使用する場合はある）。
このようなパチンコ球貸し出し装置の規格はいずれのパチンコホールでも決まっており、図４８に示すように上受け皿が遊技機本体側に配設されている従来の機種では、配球ノズル１５１の先端はちょうど払い出し機構（図示しない）からのパチンコ球を上受け皿１５２に導く払い出し口１５３の前方位置であって、かつ上受け皿１５２の上面からさほど離間していない上方に配置されることとなる。この配球ノズル１５３の先端位置は配球ノズル１５３から排出されたパチンコ球が上受け皿１５２の上面との間で詰まったり、上受け皿１５２の上面に当接して跳ねて飛び出したりしないように、あるいは極力上受け皿１５２の上面に当接するパチンコ球の音を抑えるように最適な位置に設定されている。
【０００３】
【発明が解決しようとする課題】
ところで、パチンコ遊技機においては配球ノズルの先端から落下したパチンコ球が上受け皿の上面に当接して跳ねて飛び出したり、上受け皿の上面に当接するパチンコ球の音が大きい等のいくつかの不具合が発生することがある。
本発明は、このような従来の技術に存在する問題点に着目してなされたものである。その目的とするところは、パチンコ球貸し出し装置の配球ノズルからパチンコ球の供給を受ける際にパチンコ球の飛び出しや騒音を防止した遊技機を提供することにある。
【０００４】
【課題を解決するための手段】
上記の目的を達成するために、請求項１に記載の発明では、支持枠体に支持され遊技者が対面して遊技を行う遊技面を備えた遊技台と、該遊技台に対して開閉可能に支持され同遊技面の前方に配置される扉枠と、遊技機に隣り合うように配置されたパチンコ球貸し出し装置から延出される配球ノズルを介して供給されるパチンコ球を順次前記遊技台方向へと導くパチンコ球受け皿とを備え、前記遊技台に導入されたパチンコ球に基づいて前記遊技面における所定の遊技動作を実行させるようにした遊技機において、前記扉枠には前記パチンコ球受け皿よりも上方となる位置に前記配球ノズルが収容可能な切り欠き部を形成するとともに、前記扉枠内部にはパチンコ球受け皿にパチンコ球を流下させる流下通路を形成し、前記切り欠き部内であって前記配球ノズルのパチンコ球の供給位置の下方位置に前記流下通路の上方側の開口部を配置するようにしたことをその要旨とする。
また、請求項２に記載の発明では請求項１に記載の発明の構成に加え、パチンコ球を払い出す払出装置と、該払出装置によって払い出されたパチンコ球を前記パチンコ球受け皿へ導く主通路とを備え、前記流下通路は、前記主通路に連通され、前記配給ノズルを介して供給されるパチンコ球は、前記払出装置によって払い出されたパチンコ球と共通のパチンコ球導入口を介して前記パチンコ球受け皿へ導かれるようにしたことをその要旨とする。
【０００６】
【発明の効果】
請求項１及び２に記載の発明では、パチンコ球の落下に伴う飛び出しや騒音が防止される。
【０００７】
【発明の実施の形態】
以下、本発明をパチンコ遊技機に応用した実施の形態について図面に基づいて説明する。特に本実施の形態では従来に比べて遊技面を大型化したパチンコ遊技機に本発明を化体させて説明する。ここに「従来に比べて大型化した遊技面を備えたパチンコ遊技機」とは上記のように遊技者の興趣をより盛り上げるために遊技面を大型化した機種であり、遊技面が大型化することにより遊技面中央に配置される表示装置の液晶画面を大きくすることが可能となり、迫力ある大画面を遊技者は享受でき遊技者に対するアピール度が増すことができる機種である。更に、同機種では遊技面が大きくなるため左右方向への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなるものである。
また、以下の説明においてはまず複数の実施の形態に共通する構成について説明し、その後実施の形態ごとにそれら特徴部分について説明する。
尚、以下の説明においては前面、前方或いは表面側とは遊技者が正対する側をいい、後面、後方或いは背面側とはそれら正対する側の反対側をいう。また、特記なき限り左右とは前面からみた左右方向をいう。
【０００８】
図１及び図５に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。
外枠１には遊技台としての遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。
図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。
遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。
遊技盤５の後方位置には遊技盤５を背面から覆うように機構盤１０が配設されている。機構盤１０の直下には取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。
【０００９】
まず、遊技機本体４及び遊技盤５について詳しく説明する。
図１、図７及び図８に示すように、遊技機本体４の上半身には横架フレーム１８及び左右の縦フレーム１９によって額縁状に縁取られた遊技盤取り付けスペース９が形成されている。遊技盤取り付けスペース９の下方は図１０に示すようにパチンコ球処理領域２１とされ、同パチンコ球処理領域２１の下方には更にパチンコ球発射機構２３及び音響機構２４が配設されている。遊技盤５はパチンコ球処理領域２１の設置台としての天板２２上に設置された状態で遊技盤取り付けスペース９に嵌合されている。
。図６に示すように、遊技盤５は略正方形のパネル体であって、遊技盤５の前面にほぼ垂直に配置された遊技面２０上には内レール２５及び外レール２６によって包囲された略円形の遊技領域２７が形成されている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０から後方に退場する。尚、釘については図示が省略されている。
図７及び図８に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。
図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。
【００１０】
図１１に示すように、遊技盤５の裏面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。
図９〜図１１に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。
【００１１】
次に遊技盤５のパチンコ球処理領域２１の周辺の構造について説明する。
パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。
導入通路４５は上受け皿８にパチンコ球を導く主通路４７と上受け皿８が一杯になった場合に下受け皿１４方向にオーバーフローしたパチンコ球を導くバイパス通路４９とを備えている。図９〜図１１に示すように主通路４７は遊技機本体４の裏面側に導入口５０を備え、図１、図５等に示すように遊技機本体４の表面側の導出口５１に連通されている。図１３、図１４及び図１６に示すように、主通路４７内には導入口５０から導入したパチンコ球を前方に流下させる流下面４７ａが形成されている。流下面４７ａには前方に向かって緩やかな傾斜が設けられている。流下面４７ａはその途中で途切れており、導出口５１は空間を隔てた流下面４７ａ前方に配置される。
【００１２】
図９〜図１１並びに図１５及び図１６に示すようにバイパス通路４９は遊技機本体４の裏面側に導入口５２を備え遊技機本体４前面に配設されたオーバーフロー通路としての下受け皿用通路５３内に連通されている。バイパス通路４９内には導入口５２から導入したパチンコ球が前方に流下する流下面４９ａが形成されている。流下面４９ａには前方に向かって緩やかな傾斜が設けられている。
図１、図５、図９〜図１１及び図１６に示すように下受け皿用通路５３は遊技機本体４前面左側から右方向に横行して前記下受け皿１４の流入口１４ａに連通されている。下受け皿用通路５３はパチンコ球処理領域２１の前面左方向においてバイパス通路４９の流下面４９ａから流下するパチンコ球を下方に落下させる第１の通路５３ａと落下するパチンコ球をスムーズに略９０度右方に方向転換させる曲面に形成された案内部５３ｂとパチンコ球を斜め右下方に案内する第２の通路５３ｃから構成される。第２の通路５３ｃは遊技機本体４の左右方向の略中央位置において下受け皿１４の流入口１４ａに接続されている。図１６に示すように、第２の通路５３ｃの起点位置の上方は開放空間５４とされて前記主通路４７の流下面４７ａの下端部が現れている。
【００１３】
図１、図５、図１３及び図１４に示すように、導出口５１にはフラップ５５が立設されている。フラップ５５は回動軸５５ａによって回動可能に軸支されるとともに図示しないバネによって付勢されている。図１４に示すように、扉枠７を閉鎖させることで後述する差し込み受け皿５７が導出口５１から開放空間５４に差し込まれることとなる。差し込み受け皿５７の流下面５７ａは開放空間５４に差し込まれた状態で主通路４７の流下面４７ａよりも若干低い位置に配設され、同流下面４７ａを流下するパチンコ球をさらにすみやかに下流に流下させるために前方に向かって緩やかな傾斜が設けられている。
差し込み受け皿５７の差し込みに伴ってフラップ５５は開放空間５４側に倒伏させられるとともに、開放空間５４によって途切れた流下面４９ａの下流位置に導出口５１方向への橋が架けられることとなる。この状態で主通路４７の流下面４７ａを流下してきたパチンコ球は差し込み受け皿５７上に流入し、更に導出口５１から上受け皿８に導かれることとなる。
【００１４】
一方、扉枠７を開放した際には図１３に示すようにフラップ５５はバネの付勢力によって起立位置に復帰する。この状態ではパチンコ球は導出口５１には導かれない。すなわち、扉枠７と一体的に開放されてしまった上受け皿８にパチンコ球を導くことはできないため上流から流下するパチンコ球を下受け皿１４に導く必要がある。すなわち、差し込み受け皿５７がなくなるためパチンコ球は開放空間５４から下方の第２の通路５３ｃ方向に落下し下受け皿１４に流入することとなる。このとき、勢いよく流下面４９ａを流下してきたパチンコ球はフラップ５５によって導出口５１からの外部への飛び出しが防止される。
図１６に示すように、開放空間５４と隣接する第１の通路５３ａとはその途中に隔壁がなく連通状態とされている。そのため、主通路４７に導かれるパチンコ球が多すぎて流下できなくなった場合にはそのオーバーフローしたパチンコ球は主通路４７から差し込み受け皿５７に至る途中で開放空間５４から第１の通路５３ａの方向に移動して下受け皿用通路５３に導かれる（つまり下受け皿１４に流入する）ようになっている。つまり、バイパス通路４９を通らないで主通路４７に導かれたパチンコ球は遊技機本体４前面に至った段階でオーバーフロー状態となると、下受け皿１４方向に迂回することとなっている。
このように下受け皿用通路５３はオーバフローしたパチンコ球を下受け皿に導く機能と扉枠開放に伴う上受け皿への通路遮断によりパチンコ球を下受け皿に導く機能の両方の機能を兼ね備えることとなる。
尚、差し込み受け皿５７は扉枠７の閉塞時に開放空間５４からパチンコ球が下受け皿１４方向に流れてしまわないように設けられているものであって、この機構によって下受け皿用通路５３が両方の機能を兼ね備えることが可能となっている。
図１、図５及び図１２に示すように、下受け皿用通路５３の第２の通路５３ｃ下方にはセンサ収納部６６が併設されている。センサ収納部６６内には図示しないリミットスイッチが配設されており、下受け皿１４がパチンコ球で一杯になり第２の通路５３ｃ側に溢れた際にこれを検出して後述する払い出し装置９６からのパチンコ球（賞球）の放出を休止させる。
【００１５】
次に排出通路４６について説明する。図９〜図１１に示すように、排出通路４６はアウト球回収口３０から落下してくるアウト球及びセーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。
【００１６】
次に、パチンコ球発射機構２３について説明する。図１、図９〜図１２に示すように、遊技機本体４の右下方寄り（裏面から見ると左下方寄り）にはパチンコ球発射機構２３が配設されている。パチンコ球発射機構２３は前記操作ハンドル１５、発射ハンマ６３、モータ装置６４、図示しない発射カム，図示しないコイルバネ等から構成されている。
モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を回動させる。発射ハンマ６３は回転した発射カムと非係合となることによってコイルバネの付勢力によって一瞬に元の位置に戻ることとなる。この時の勢いによって遊技球が発射される。操作ハンドル１５のハンドルリング１５ａを回動させることでコイルバネの付勢力を制御し、発射ハンマ６３のパチンコ球（遊技球）への当接速度を調節するようになっている。
【００１７】
図１及び図１２に示すように、前記下受け皿用通路５３の右方には発射案内レール６５が配設されている。発射案内レール６５の下端（右端）は前記発射ハンマ６３の側方に配置され、発射ハンマ６３の進退方向と重複して左斜め上方に向かって延出されている。発射案内レール６５上端から先は発射されたパチンコ球（遊技球）がジャンプして飛び越えるジャンプ領域６７が形成されている。ジャンプ領域６７の下方には前記下受け皿用通路５３の第２の通路５３ｃを構成する天板６８が配置されている。天板６８上面は右下方に向かって下がる傾斜面とされているため、発射されても遊技面２０に至らず戻ってきてしまった勢いのないパチンコ球がジャンプ領域６７から天板６８上に落下し、そのパチンコ球は天板６８上を右方向に流下して発射案内レール６５の下方から返却通路６９内に導入されるようになっている。返却通路６９は本実施の形態では前記下受け皿用通路５３上部の開放空間５４に連通されている。発射案内レール６５の取り付けリブ６５ａには発射案内レール６５上にセットされた遊技球を下方から支持するストッパ７９が固着されている。
【００１８】
ここに図５に示すように、前方から発射案内レール６５を正視した場合発射案内レール４５の下端寄りはカバープレート１３の上端よりも下方位置に配置される。つまり、前方からでは正視できない隠れた位置に配置されることとなっている。これは遊技盤５の上下幅が上記のように拡張され従来の機種に比べて下方位置まで進出するようになったことに伴い発射案内レール６５を全体に下方位置にずらしたことによるものである。本来ならば発射案内レール６５が下がると操作ハンドル１５位置も下げることでこのように発射案内レール６５の下部が隠れた状態になることはない。しかし、パチンコ遊技機において操作ハンドル１５の位置は遊技者が操作しやすい位置に配置されるよう人間工学的に決まってしまっている。そのため、操作ハンドル１５位置を下げることはできない。しかし、遊技球の発射後の助走距離として所定長さの発射案内レール６５は必要である。そこで、このように構成したものである。
ここに、発射案内レール６５の最下端位置（発射準備位置）には次々と打ち出される遊技球が流入してくるため遊技球が確実に保持される必要がある。従来の機種では発射案内レール６５はその前面に配置される上部カバープレートに隣接していたため上部カバープレートからの遊技球の排出口をちょうど発射準備位置に面するような設計が可能であった。ところが、本実施の形態のようなカバープレート１３の上端から下方に隠れてしまっている発射準備位置ではこのような設計は困難である。すなわち、発射準備位置にセットされた遊技球（発射待機球）を前方から支持する手段がなくなってしまうこととなる。そこで、本実施の形態では図１２及び図１７に示すように発射案内レール６５の最下端位置に隣接して遊技球案内プレート７０が配設されている。
遊技球案内プレート７０は扉枠７側の上受け皿８から発射案内レール６５上に供給された遊技球を前方から支持する。すなわち、図１２及び図１７に示すように、発射準備位置に隣接した位置（前方位置）における同プレート７０の配置位置はその位置における発射案内レール６５よりも若干高い位置に配設される。これによって、発射案内レール６５の発射準備位置に配置される遊技球は同プレート７０よりも一段下がった位置において遊技球案内プレート７０によって前方から保持されることとなり正確な発射が可能となる。
カバープレート１３の下受け皿１４の左方には灰皿７２が配設されている。本実施の形態ではこの灰皿７２の裏面に前記音響機構２４の図示しないスピーカが配設されている。図１、図５及び図１２に示すように、発射案内レール６５の右方には鍵穴７３が形成されている。この鍵穴７３は遊技機本体４に対する扉枠７の開閉をつかさどるものである。
【００１９】
次に、扉枠７について詳述する。尚、扉枠７については本発明に関して実施の形態毎により詳しい説明を後述する。
図１〜図４に示すように、遊技盤５の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７は略長方形の外形を有し、中央にほぼ円形の大型の窓穴７５が形成されている。窓穴７５を円形としたのは遊技盤５の遊技面９の前記遊技領域２７に対応させたものである。窓穴７５には遊技盤５の遊技面９を露出させるためのガラスＧがはめ込まれている。扉枠７の後面側であって窓穴７５周縁には補強フレーム７４が配設されている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。
窓穴７５の下方位置には球貸し用の操作ボタン７７とカードの残量を表示する７セグ表示の表示パネル７８が配設されている。
【００２０】
操作ボタン７７及び表示パネル７８の下方には上受け皿８が配設されている。図１８及び図１９に示すように、上受け皿８は導入されてきたパチンコ球がプールされる流下面８１と流下面８１を包囲する包囲壁８２を備えている。流下面８１には図示しないパチンコ球貸し出し装置の配球ノズルＮから放出されたパチンコ球が落下当接する。流下面８１は右側下がりの傾斜に形成されるとともに、下流側（右側）が徐々に狭くなってパチンコ球が縦列配置されるような狭窄通路８４が形成されている。
上受け皿８には上流側（左側）の扉枠７壁面に形成されたパチンコ球導入口８３から導入されたパチンコ球がプールされると同時に徐々に下流側に流下して狭窄通路８４に至り、更に狭窄通路８４最下流に配置された供給口８５から扉枠７の背面側に導かれる。図１に示すように、供給口８５の扉枠７の対応する背面位置には前記遊技球案内プレート７０に遊技球を導く遊技球案内装置８７が配設されている。遊技球案内装置８７は上受け皿８の供給口８５から流下するパチンコ球を前記発射案内レール６５上に落下させる装置である。遊技球案内装置８７の側方には上受け皿８に溜まったパチンコ球を遊技者の操作で自主的に下受け皿１４に回避させる際の迂回通路８９が形成されている。
図１及び図１４に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の裏面側には球貸し用基板が内蔵された球貸し用基板ボックス８８が配設されている。
【００２１】
次に、機構盤１０について説明する。
図２、図４及び図９に示すように、遊技盤５の背面側には機構盤１０が遊技機本体４に対して開閉可能に装着されている。機構盤１０は上下に配設されたヒンジ部９０（本実施の形態では下側のみ表示）によって遊技機本体４に支持されており、盤面に散点的に配置された開閉ピン９１の引き出し及び押し込みによって遊技機本体４に対して着脱可能とされる。機構盤１０の中央付近には大型開口部１０ａが形成されている。大型開口部１０ａの上半分はカバー９２によって背面から覆われている。
図９に示すように、遊技機本体４に対して機構盤１０が閉塞された状態で同大型開口部１０ａから遊技盤５の背面に配設された可変表示装置２９及びメイン基板３３が露出される。可変表示装置２９はカバー９２によって背面から覆われるが、メイン基板３３は目視確認のために覆われない。
機構盤１０の上部にはタンクＴが配設されている。タンクＴの下方にはタンクレール９３が配設されている。タンクレール９３はタンクＴから導入されたパチンコ球を図９において左方から右方に移動させる。本実施の形態では従来の機種に比べて遊技盤５が上方にも拡張されているためタンクＴは従来の機種に比べて若干浅めに形成されている。タンクレール９３の右方には下方に向かって払い出しユニット９５が配設されている。払い出しユニット９５は払い出し装置９６と球流路９７を備えセーフ球の発生に基づいて所定量のパチンコ球（賞球）を払い出すようになっている。払い出しユニット９５の下方には基板取り付けベース１１が配設されている。基板取り付けベース１１には発射基板が収納される発射基板ボックス１１ａと、電源基板が収納される電源基板ボックス１１ｂが固着されている。払い出しユニット９５から払い出しされたパチンコ球は下方に流下し、基板取り付けベース１１上部の分岐ユニット６１によって前方に方向転換させられ前記主通路４７及びバイパス通路４９に流下するようになっている。
【００２２】
次にこのように構成されたパチンコ遊技機の更に扉枠７周辺について実施の形態ごとにより詳しく説明する。
（実施の形態１）
図２〜図４に示すように球受け部材としてのサンド用受け皿１０１が扉枠７の表面に装着されている（図２及び図４では仮想線で示す）。サンド用受け皿１０１は上受け皿８の上方左寄りのちょうどパチンコ球貸し出し装置（サンド）から延出される配球ノズルＮの先端の直下に配置される。このサンド用受け皿１０１の配置位置は従来のパチンコ遊技機ではちょうど上受け皿が配置される位置に相当する。サンド用受け皿１０１と包囲壁８２との間には人の指が入る程度の隙間が空いており、流下面８１の掃除やパチンコ球導入口８３から流下してくるパチンコ球が詰まった場合の作業が可能となっている。
図２０〜図２４に示すようにサンド用受け皿１０１は前面壁１０１ａ、背面壁１０１ｂ、天板１０１ｃ、底板１０１ｄとによって構成される上部と下部が開口された変形筒状の部材である。これら構成部材は透明なプラスチック（例えばポリカーボネート）から形成されている。前面壁１０１ａは湾曲した断面形状を有し両端において平板状の背面壁１０１ｂと連結されている。天板１０１ｃの左寄りには配球ノズルＮから落下するパチンコ球の受球口１０３が開口されている。底板１０１ｄは受球口１０３の下方に右側下がりの傾斜をもって配設されている。底板１０１ｄの下流には流下するパチンコ球の落下口１０４が形成されている。配球ノズルＮから落下したパチンコ球は受球口１０３からサンド用受け皿１０１内に導入され底板１０１ｄに当接し、下流（右方）に流下して落下口１０４から流下面８１に至る。
サンド用受け皿１０１の背面壁１０１ｂ両側寄りには後方に向かって突出する挿入片１０５が形成されている。サンド用受け皿１０１は図２５に示す扉枠７前面に形成されたスリット１０６に挿入片１０５を挿入させ背面壁１０１ｂの裏面を扉枠７表面に密着させた状態で扉枠７裏面側にて図２０に示す固定板１０７を挿入片１０５と共締めすることで固着されている。また、上記では説明のし易さからサンド用受け皿１０１を単純化して図示したが実際には扉枠７周囲のデザインと統一を図った形状に構成されるものとする。
【００２３】
次に実施の形態１の作用について説明する。
ホール側において本実施の形態１のパチンコ遊技機を従来の機種と入れ替えた場合に、その島に所定間隔で配置されているパチンコ球貸し出し装置の配球ノズルＮの位置を変更することはできない。従って、遊技者が本実施の形態１のパチンコ遊技機で遊技する場合にも従来と同様にパチンコ球貸し出し装置の配球ノズルＮを回動させてその先端を上受け皿８の上方位置に配置させてカードを使用してパチンコ球の放出動作を行う。このとき、上受け皿８とパチンコ球が放出される配球ノズルＮの先端との間にはサンド用受け皿１０１が配置されることとなる。配球ノズルＮの先端から落下したパチンコ球は受球口１０３からサンド用受け皿１０１内に導入され底板１０１ｄに当接する。つまり、一旦落下の勢いはここで抑制されることとなる。そして、下流（右方）に流下して落下口１０４から流下面８１に至ることとなる。
このように構成された実施の形態１の効果について説明する。
（１）配球ノズルＮの先端から流下面８１までの距離が長くなってもサンド用受け皿１０１によって流下面８１に安定してパチンコ球が導かれるためパチンコ球が包囲壁８２から外方に飛び出すことがない。
（２）流下面８１に当接する勢いが減殺されるためパチンコ球の落下当接による騒音が防止される。
（３）サンド用受け皿１０１は扉枠７の裏面側から固定されるため遊技者がいたずらをしてサンド用受け皿１０１を取り外してしまうという問題が生じにくい。
（４）サンド用受け皿１０１は着脱可能であるためパチンコ球貸し出し装置を使用しないＣＲ機にこのパチンコ遊技機をセットする際にはサンド用受け皿１０１を取り外して使用することが可能となる。
（５）サンド用受け皿１０１は扉枠７とは別体に構成されているため、摩耗やひびなどの不具合が生じたとしても単独で交換可能である。
（６）サンド用受け皿１０１は透明であるため扉枠７の表面に施された装飾パネル７６の装飾が透視されるため、扉枠７表面に施された意匠的効果が損なわれることがない。
（７）底板１０１ｄは前面壁１０１ａ、背面壁１０１ｂによって包囲されることとなるため底板１０１ｄに当接したパチンコ球が外に飛び出すことがない。
【００２４】
（実施の形態２）
図２、図４及び図２６に示すように球受け部材としてのサンド用受け皿１０１が扉枠７の表面に装着されている（図２及び図４では仮想線で示す）。サンド用受け皿１０１は上受け皿８の上方左寄りのちょうどパチンコ球貸し出し装置（サンド）から延出される配球ノズルＮの先端の直下に配置される。このサンド用受け皿１０１の配置位置は従来のパチンコ遊技機ではちょうど上受け皿が配置される位置に相当する。サンド用受け皿１０１と包囲壁８２との間には人の指が入る程度の隙間が空いており、流下面８１の掃除やパチンコ球導入口８３から流下してくるパチンコ球が詰まった場合の作業が可能となっている。
図２６に示すようにサンド用受け皿１０１は前面壁１０１ａ及び背面壁１０１ｂとによって構成される上部と下部が開口された変形筒状の部材である。前面壁１０１ａは湾曲した断面形状を有し両端において平板状の背面壁１０１ｂと連結されている。
図２７に示すように、サンド用受け皿１０１内部には鉤の手状に屈曲形成された緩衝通路１２８が形成されている。緩衝通路１２８内部には互いに逆方向の傾斜面が形成された２つの棚１２９，１３０が形成されている。配球ノズルＮの先端から落下したパチンコ球はサンド用受け皿１０１の緩衝通路１２８内部の２つの棚１２９，１３０の少なくとも一方に当接して勢いを減衰させられて下流（右方）に流下して落下口１０４から流下面８１に至ることとなる。
サンド用受け皿１０１は図２５に示す扉枠７前面に形成されたスリット１０６に挿入片１０５を挿入させ背面壁１０１ｂの裏面を扉枠７表面に密着させた状態で扉枠７裏面側にて図２６に示す固定板１０７を挿入片１０５と共締めすることで固着されている。また、上記では説明のし易さからサンド用受け皿１０１を単純化して図示したが実際には扉枠７周囲のデザインと統一を図った形状に構成されるものとする。
【００２５】
このように構成された実施の形態２の効果について説明する。
（１）配球ノズルＮの先端から流下面８１までの距離が長くなってもサンド用受け皿１０１によって流下面８１に安定してパチンコ球が導かれるためパチンコ球が包囲壁８２から外方に飛び出すことがない。
（２）緩衝通路１２８内部の２つの棚１２９，１３０によって流下面８１に当接する勢いが減殺されるためパチンコ球の落下当接による騒音が防止される。
（３）サンド用受け皿１０１は扉枠７の裏面側から固定されるため遊技者がいたずらをしてサンド用受け皿１０１を取り外してしまうという問題が生じにくい。
（４）サンド用受け皿１０１は着脱可能であるためパチンコ球貸し出し装置を使用しないＣＲ機にこのパチンコ遊技機をセットする際にはサンド用受け皿１０１を取り外して使用することが可能となる。
（５）サンド用受け皿１０１は扉枠７とは別体に構成されているため、摩耗やひびなどの不具合が生じたとしても単独で交換可能である。
（６）２つの棚１２９，１３０は前面壁１０１ａ、背面壁１０１ｂによって包囲されることとなるため棚１２９，１３０に当接したパチンコ球が外に飛び出すことがない。
【００２６】
（実施の形態３）
実施の形態２と同様に落下するパチンコ球の勢いを減衰する手段として図２、図４及び図２８に示すような構成に変更して実施することも可能である。本実施の形態３では構成部材は透明なプラスチック（例えばポリカーボネート）から形成されている。図２８及び図２９に示すようにサンド用受け皿１０１の内部には実施の形態２の緩衝通路１２８の代わりにストレートに形成された縦通路１３１が形成され、その中間位置に大型の風車１３２が形成されている。風車１３２は上方からのパチンコ球の落下を受けて回転しパチンコ球を周囲に散乱させるとともに落下するパチンコ球の勢いを減衰させる役割を果たす。このように構成すると
（１）配球ノズルＮの先端から流下面８１までの距離が長くなってもサンド用受け皿１０１によって流下面８１に安定してパチンコ球が導かれるためパチンコ球が包囲壁８２から外方に飛び出すことがない。
（２）縦通路１３１内部の風車１３２によって流下面８１に当接する勢いが減殺されるためパチンコ球の落下当接による騒音が防止される。
（３）サンド用受け皿１０１は扉枠７の裏面側から固定されるため遊技者がいたずらをしてサンド用受け皿１０１を取り外してしまうという問題が生じにくい。
（４）サンド用受け皿１０１は着脱可能であるためパチンコ球貸し出し装置を使用しないＣＲ機にこのパチンコ遊技機をセットする際にはサンド用受け皿１０１を取り外して使用することが可能となる。
（５）サンド用受け皿１０１は扉枠７とは別体に構成されているため、摩耗やひびなどの不具合が生じたとしても単独で交換可能である。
等の効果が奏される。
（６）風車１３２は前面壁１０１ａ、背面壁１０１ｂによって包囲されることとなるため風車１３２に弾かれたパチンコ球が外に飛び出すことがない。
（７）風車１３２は透明な前面壁１０１ａから目視できるため、パチンコ遊技機の風車と同様パチンコ球によって回転する動きを楽しむことができる。
【００２７】
（実施の形態４）
図２、図４及び図３０に示すように球受け部材としてのサンド用受け皿１０１が扉枠７の表面に装着されている（図２及び図４では仮想線で示す）。サンド用受け皿１０１は上受け皿８の上方左寄りのちょうどパチンコ球貸し出し装置（サンド）から延出される配球ノズルＮの先端の直下に配置される。このサンド用受け皿１０１の配置位置は従来のパチンコ遊技機ではちょうど上受け皿が配置される位置に相当する。サンド用受け皿１０１と包囲壁８２との間には人の指が入る程度の隙間が空いており、流下面８１の掃除やパチンコ球導入口８３から流下してくるパチンコ球が詰まった場合の作業が可能となっている。サンド用受け皿１０１は前面壁１０１ａ及び背面壁１０１ｂとによって構成される上部と下部が開口された変形筒状の部材である。前面壁１０１ａは湾曲した断面形状を有し両端において平板状の背面壁１０１ｂと連結されている。
図３１に示すように、サンド用受け皿１０１内部には緩衝通路１３５が形成されている。緩衝通路１３５の左寄りには配球ノズルＮの先端から落下したパチンコ球が落下当接する前方（右方）に下がって傾斜する棚１３６が形成されている。緩衝通路１３５内部は下方において分岐し左右にパチンコ球を振り分ける分岐通路１３７，１３８が形成されている。棚１３６の上面には緩衝部材としてのウレタンゴム１３９が貼着されている。
サンド用受け皿１０１は図２５に示す扉枠７前面に形成されたスリット１０６に挿入片１０５を挿入させ背面壁１０１ｂの裏面を扉枠７表面に密着させた状態で扉枠７裏面側にて図２９に示す固定板１０７を挿入片１０５と共締めすることで固着されている。また、上記では説明のし易さからサンド用受け皿１０１を単純化して図示したが実際には扉枠７周囲のデザインと統一を図った形状に構成されるものとする。
【００２８】
このように構成された実施の形態４の効果について説明する。
（１）配球ノズルＮの先端から流下面８１までの距離が長くなってもサンド用受け皿１０１によって流下面８１に安定してパチンコ球が導かれるためパチンコ球が包囲壁８２から外方に飛び出すことがない。
（２）緩衝通路１３５内部の棚１３６によって流下面８１に当接する勢いが減殺されるためパチンコ球の落下当接による騒音が防止される。
（３）分岐通路１３７，１３８によってパチンコ球が上流側と下流側に分散されるため流下面８１に導入されたパチンコ球が詰まったり流れにくくなったりする不具合が生じにくい。特に左側の分岐通路１３６はパチンコ球を上流方向に向かって放出させるようになるため流下面８１に広くパチンコ球が行き渡る結果となり球詰まりが生じにくい。
（４）サンド用受け皿１０１は扉枠７の裏面側から固定されるため遊技者がいたずらをしてサンド用受け皿１０１を取り外してしまうという問題が生じにくい。
（５）サンド用受け皿１０１は着脱可能であるためパチンコ球貸し出し装置を使用しないＣＲ機にこのパチンコ遊技機をセットする際にはサンド用受け皿１０１を取り外して使用することが可能となる。
（６）サンド用受け皿１０１は扉枠７とは別体に構成されているため、摩耗やひびなどの不具合が生じたとしても単独で交換可能である。
（７）棚１３６は前面壁１０１ａ、背面壁１０１ｂによって包囲されることとなるため棚１３６に当接したパチンコ球が外に飛び出すことがない。
（８）棚１３６にはウレタンゴム１３９が配設されているため落下するパチンコ球の衝撃が緩和されるとともに棚１３６に直接当たる場合に比べて当接音が抑制される。
【００２９】
（実施の形態５）
図２、図４、図４４及び図４５に示すように球受け部材としてのサンド用受け皿１０１が扉枠７の表面に装着されている（図２及び図４では仮想線で示す）。サンド用受け皿１０１は上受け皿８の上方左寄りのちょうどパチンコ球貸し出し装置（サンド）から延出される配球ノズルＮの先端の直下に配置される。このサンド用受け皿１０１の配置位置は従来のパチンコ遊技機ではちょうど上受け皿が配置される位置に相当する。図４４及び図４５に示すようにサンド用受け皿１０１は鉤状に屈曲した短壁１４６ａと長壁１４６ｂとからなる本体１４６を備えている。短壁１４６ａと長壁１４６ｂによって囲まれた角部には平面三角形形状の棚１４７が形成されている。棚１４７は短壁１４６ａ寄りから長壁１４６ｂの長手方向に沿って下がるとともに後方に向かって下がるように傾斜が設けられている。短壁１４６ａの外面には取り付け軸１４８が形成されている。取り付け軸１４８は図４６及び図４７に示すように扉枠７に形成された軸受け１４９に挿入されてサンド用受け皿１０１を回動可能に支持する。図４７に示すようにサンド用受け皿１０１は配球ノズルＮからの配球可能位置において若干扉枠７前面から離間した位置に配置される。これは一般に配球ノズルＮ自体が若干扉枠７前面から離間して配置されることによるものである。棚１４７と扉枠７との間にはサンド用受け皿１０１の先端を当接させた状態で若干に隙間Ｏが形成されることとなる。遊技者は所望の位置で（もっとも配球ノズルＮからの配球を受けられなければならないが）サンド用受け皿１０１を停止させ配球ノズルＮからの配球を受けるようにする。配球ノズルＮから落下したパチンコ球が棚１４７に当接してその傾斜に従って転動し、傾斜の下流方向に散らばっていき流下面８１上に落下することとなる。このようなサンド用受け皿１０１は不要なとき、例えば大当たり状態となってパチンコ球導入口８３から次々とパチンコ球が流下面８１上に流れ込んでくるような場合には遊技者は回動させて流下面８１上から退避させるようにする。そして、球貸し機から新規にパチンコ球を借りる場合に配球ノズルＮとともに流下面８１上方に配置させるようにする。
【００３０】
このように構成された実施の形態５の効果について説明する。
（１）配球ノズルＮの先端から流下面８１までの距離が長くなってもサンド用受け皿１０１によって流下面８１に安定してパチンコ球が導かれるためパチンコ球が包囲壁８２から外方に飛び出すことがない。
（２）棚１４７によってパチンコ球の流下面８１に当接する勢いが減殺されるためパチンコ球の落下当接による騒音が防止される。
（３）サンド用受け皿１０１は着脱可能であるためパチンコ球貸し出し装置を使用しないＣＲ機にこのパチンコ遊技機をセットする際にはサンド用受け皿１０１を取り外して使用することが可能となる。
（４）サンド用受け皿１０１は扉枠７とは別体に構成されているため、摩耗やひびなどの不具合が生じたとしても単独で交換可能である。
（５）サンド用受け皿１０１は不要時に回動させて退避できるため遊技の妨げになることがない。
（６）棚１４７は短壁１４６ａ及び長壁１４６ｂによって包囲されることとなるため棚１４７に当接したパチンコ球が外に飛び出すことがない。
（７）棚１４７は短壁１４６ａ及び長壁１４６ｂによって外寄りの２方向のみ包囲されている。つまり遊技機本体４方向は開放状態にある。従って、棚１４７上に落下したパチンコ球は棚１４７の下流側から広く流下面８１に拡散することとなって球詰まり等の不具合が生じにくくなっている。
（８）棚１４７は短壁１４６ａ寄りから長壁１４６ｂの長手方向に沿って下がるとともに後方に向かって下がるように傾斜が設けられている。つまり三次元的に傾斜が設けられているためパチンコ球が一方向に偏って流下することがなくまんべんなく流下面８１に拡散させることができる。
【００３１】
（実施の形態６）
実施の形態１において図４２及び図４３に示すように、サンド用受け皿１０１の下方位置の流下面８１に供給口８５方向に下がる傾斜とは逆方向の傾斜（つまり左側に下がる）を有するパチンコ球逆流手段としての逆傾斜部分１４５を設け、サンド用受け皿１０１から落下するパチンコ球を一旦上流に導くような構成にしてもよい。逆傾斜部分１４５は流下面８１において落下口１０４の直下に配置されスキーのジャンプ台のような形状に隆起されている。図１８の代わりにこのような逆傾斜部分１４５を設けた図４２及び図４３に示すような上受け皿８としてもよい。図４２の矢印に示すように落下したパチンコ球は流れていく。
実施の形態１ではサンド用受け皿１０１内に導入されたパチンコ球は落下口１０４から流下面８１に落下するものの、若干右寄りに落とされることとなっている。パチンコ球は可能な限り流下面８１の上流側から放出されるほうが広範囲に散らばって球詰まりも生じにくくなる。そのため、このように一旦落下したパチンコ球を上流側に導く逆傾斜部分１４５を配球ノズルＮの口の下方位置に設けるものである。
【００３２】
（実施の形態７）
図３２〜図３４に示すように扉枠７にはパチンコ球貸し出し装置（サンド）から延出される配球ノズルＮが収容される切り欠き１１０が形成されている。図３３に示すように切り欠き１１０は配球ノズルＮの軌跡（進行方向）と対応する位置に形成されている。切り欠き１１０は扉枠７の左隅に形成された空間であって、背面壁１１０ａ、側壁１１０ｂ、天板１１０ｃ及び底板１１０ｄによって区画されている。底板１１０ｄには連通口１１１が形成されている。図３３に示すように連通口１１１は切り欠き１１０内に配球ノズルＮが収容された状態においてパチンコ球が放出される同ノズルＮ先端の直下に配置されている。連通口１１１からは流下通路１１３が前記差し込み受け皿５７からパチンコ球導入口８３に至る主通路１１２に連通されている。背面壁１１０ａの前面には緩衝部材としてのウレタンゴム１１４が貼着されている。
一方、実施の形態７のパチンコ遊技機は切り欠き１１０を封塞する蓋部材１１５を備えている。図３５〜図３７（ａ）及び（ｂ）に示すように蓋部材１１５は前面壁１１５ａ、側壁１１５ｂ及び固定脚１１５ｃとから構成されている。図３８に示すように前面壁１１５ａは扉枠７表面の隣接する装飾パネル７６の立体的な装飾と連続するような表面形状とされている。すなわち、蓋部材１１５を切り欠き１１０に装着した状態において前面壁１１５ａは隣接する扉枠７表面の装飾と連続した意匠を形成する。蓋部材１１５を装着した状態において扉枠７前面の装飾パネル７６によって構成される意匠は左右対称とされる。蓋部材１１５は背面壁１１０ａに対してビス１１６によって扉枠７に固定されるようになっている。尚、図２及び図４に関しては仮想線で示される実施の形態１のサンド用受け皿１０１がない状態が実施の形態２の図面となる。また、上記では説明のし易さから切り欠き１１０の形状を単純化して図示したが実際には扉枠７周囲のデザインと統一を図った形状に構成されるものとする。
【００３３】
次に実施の形態７の作用について説明する。
ホール側において本実施の形態１のパチンコ遊技機を従来の機種と入れ替えた場合に、その島に所定間隔で配置されているパチンコ球貸し出し装置の配球ノズルの位置を変更することはできない。従って、遊技者が本実施の形態２のパチンコ遊技機で遊技する場合にも従来と同様にパチンコ球貸し出し装置の配球ノズルＮを回動させる。但し従来と異なり遊技者は配球ノズルＮ先端を上受け皿８の上方位置に配置させるのではなくそのまま回動させて切り欠き１１０内に収容させ背面壁１１０ａ（のウレタンゴム１１４）に当接させるようにする。そしてカードを使用してパチンコ球の放出動作を行う。すると放出されたパチンコ球は連通口１１１から流下通路１１３を流下し主通路１１２に至り、更にパチンコ球導入口８３から流下面８１に至ることとなる。
このように構成された実施の形態７の効果について説明する。
（１）配球ノズルＮの先端から流下面８１までの距離が長くなっても切り欠き１１０内から主通路１１２を通って流下面８１に安定してパチンコ球が導かれるためパチンコ球が包囲壁８２から外方に飛び出すことがない。
（２）パチンコ球は扉枠７内部の主通路１１２を通過するため音が外に漏れにくくパチンコ球の貸し出しに伴う騒音が防止される。
（３）実施の形態１のサンド用受け皿１０１のように扉枠７から前方に飛び出した別体の供給補助手段を設けるのは遊技者にとって邪魔と感じる場合がある可能性がある。また、サンド用受け皿１０１は通常容易には取り外しができないはずであるが、なかには無理矢理サンド用受け皿１０１を外してしまう遊技者がいないとも限らない。切り欠き１１０であればこのような問題は全くなくなる。
（４）蓋部材１１５は着脱可能であるためパチンコ球貸し出し装置を使用しないＣＲ機にこのパチンコ遊技機をセットする際には蓋部材１１５を装着して使用することが可能となる。
（５）蓋部材１１５の前面壁１１５ａに形成された表面形状は周囲の扉枠７表面の形状と意匠として統一されるため遊技者に蓋部材１１５が装着されていることの違和感を与えることがない。
（６）蓋部材１１５は背面壁１１０ａの裏面側からビス１１６で固定されるため遊技者がいたずらをして蓋部材１１５を取り外してしまうという問題が生じにくい。
（７）背面壁１１０ａの前面にはウレタンゴム１１４が配設されている。そのため配球ノズルＮが背面壁１１０ａに当接する際の衝撃が緩和されることとなる。
（８）流下通路１１３は主通路１１２に連通されているため、配球ノズルＮから配球されるパチンコ球用の新たな開口部を流下面８１に面して設ける必要がない。
【００３４】
尚、この発明は、次のように変更して具体化することも可能である。
・サンド用受け皿１０１の形状や配置位置は上記に限定されない。また、上記では実施の形態１、３及び５において透明に構成したがもちろん透明でなくとも構わない。逆に実施の形態２、４及び６を透明に構成するようにしてもよい。
・上記実施の形態ではサンド用受け皿１０１と包囲壁８２の間に指が入る隙間が確保され流下面８１の掃除やパチンコ球詰まりの解消作業ができるようになっていた。しかし、サンド用受け皿１０１と包囲壁８２の間の隙間を設けなくとも、あるいはサンド用受け皿１０１を一部包囲壁８２上に載置させるようにしてもよい。その場合に流下面８１の掃除やパチンコ球詰まりの解消作業をするために図３９に示すようにサンド用受け皿１０１を扉枠７に対してヒンジ１４１によって片持ちに支持させ回動可能として流下面８１を完全に上方に露出させるようにしてもよい。このように構成すれば流下面８１の掃除やパチンコ球詰まりの解消作業が確実に可能となる。
・切り欠き１１０の形状や大きさは上記実施の形態に限定されない。
・図４０に示すように、本発明はいわゆるパチロットと呼称されるパチンコ球を使ってのスロットマシンに応用するようにしてもよい。本実施の形態のパチロット１２１ではパチンコ球受け皿１２２が従来のパチンコ遊技機に比べて下方位置にある。そのため、図示しないパチンコ球貸し出し装置の配球ノズルから放出されて落下するパチンコ球がパチンコ球受け皿１２２上で大きく跳ねて飛び出さないように上記実施の形態と同様にサンド用受け皿１２３が形成されている。サンド用受け皿１２３は上記実施の形態１と同様配球ノズルから放出されるパチンコ球を受け止めてパチンコ球受け皿１２２上に導くようになっている。
・図４１に示すように、本発明はいわゆるパチロットと呼称されるパチンコ球を使ってのスロットマシンに応用するようにしてもよい。本実施の形態のパチロット１２１ではパチンコ球受け皿１２２が従来のパチンコ遊技機に比べて下方位置にある。そのため、図示しないパチンコ球貸し出し装置の配球ノズルから放出されて落下するパチンコ球がパチンコ球受け皿１２２上で大きく跳ねて飛び出さないように上記実施の形態と同様に切り欠き１２４が扉枠１２５に形成されている。扉枠１２５にはパチンコ球受け皿１２２にパチンコ球を導入するためのパチンコ球導入口１２７の途中に連通する通路１２６が形成されている。切り欠き１２４内には同通路１２６に連通する連通口１２４が開口されている。パチンコ球は切り欠き１２４内に収容された配球ノズルから放出され通路１２６を通ってパチンコ球導入口１２７からパチンコ球受け皿１２２に至る。
・上記実施の形態５では緩衝通路１３５内において通路を分岐させ、分岐通路１３７を流下面８１の上流側に向けてパチンコ球を流下させるようにしていた。しかし、分岐させずに流下面８１の上流側に向けてパチンコ球を流下させるようにしても構わない。
・上記サンド用受け皿１０１はいずれも扉枠７前面に常時露出するように配置されていたが、これを扉枠７内部に収納可能にして所望に応じて出し入れできるようにしてもよい。
・配球ノズルＮの先端にパチンコ球の案内キャップを取り付けパチンコ球が落下する際の補助としてもよい。
・本実施の形態はいわゆる現金機以外のＣＲ機にも応用可能である。
・その他、本発明の趣旨を逸脱しない態様で実施することは自由である。
【００３５】
本発明の目的を達成するために上記実施の形態から把握できるその他の技術的思想について下記に付記として説明する。
（１）  請求項１の遊技機のおいて書き以前を
支持枠体に支持された遊技機本体と、同遊技機本体に装着されて遊技者が対面して遊技を行う遊技面を備えた遊技盤と、同遊技機本体に対して開閉可能に支持され同遊技盤の前方に配置される扉枠と、遊技者が操作することでパチンコ球を発射させる前記遊技機本体に配設された発射機構と、前記発射機構から発射されたパチンコ球を前記遊技面に誘導するとともにパチンコ球が落下する遊技領域を区画する円弧状の誘導レールとを備えたパチンコ遊技機において、
とする。
（２）  請求項１の遊技機のおいて書き以前を
支持枠体に支持され遊技者が対面して遊技を行う遊技面を備えた遊技台と、同遊技台に対して開閉可能に支持され同遊技面の前方に配置される扉枠と、同扉枠の下方に配置され、同扉枠と一体化してあるいは単独で前記遊技台に対して開閉可能に支持され遊技台内部あるいは外部から供給されるパチンコ球を順次同遊技台方向へと導くパチンコ球を貯留する上受け皿とを備え、前記遊技台に導入されたパチンコ球に基づいて前記遊技面における所定の遊技動作を実行させるようにした遊技機において、
とする。
（３）  前記供給補助手段とは前記パチンコ球受け皿上方であって前記扉枠に装着された球受け部材であって、同球受け部材を介してパチンコ球が同パチンコ球受け皿に導かれるようにしたことを特徴とする遊技機。
これによって配球ノズルから配球されるパチンコ球をこぼさずに安定してパチンコ球受け皿に供給することが可能となるとともに扉枠とは別体の球受け部材であるため単独で交換可能となる。
（４）前記球受け部材は着脱可能であることを特徴とする付記３に記載の遊技機。
このように構成することで球受け部材の交換が容易になると同時にパチンコ球貸し出し装置を使用しないＣＲ機のようなパチンコ遊技機に応用する場合には球受け部材を取り外して使用することが可能となり汎用性が増す。
（５）前記球受け部材は筒状に構成され配球ノズルから配球されるパチンコ球は同筒内において緩衝機構によって落下速度を減衰させられることを特徴とする付記３又は４に記載の遊技機。
このように構成すると勢いが減衰され流下面でパチンコ球が飛び跳ねることがなくなるとともに筒状の球受け部材によって緩衝機構が包囲されることとなるため緩衝機構と接触したパチンコ球が外に飛び出すことがない。ここに緩衝機構とは上記実施の形態では緩衝通路１２８，１３５や縦通路１３１内部の風車１３２が相当する。
（６）前記球受け部材は筒状に構成され配球ノズルから配球されるパチンコ球は同筒内における分岐機構によって分岐してパチンコ球受け皿上に誘導されることを特徴とする付記３〜５のいずれかに記載の遊技機。
（７）前記球受け部材は遊技者側に立設された壁面を有するとともに前記遊技台方向が開放された棚部材によって構成されたことを特徴とする付記３〜５のいずれかに記載の遊技機。
このように構成すれば壁面によって遊技者側へのパチンコ球の脱落が防止される。一方で遊技台方向は開放されていても遊技台と球受け部材の下方にはパチンコ球受け皿が配置されているためパチンコ球はパチンコ球受け皿上に落下する。
ここに壁面はパチンコ球受け皿を略包囲するように湾曲、あるいは屈曲させて形成することが好ましい。
（８）前記棚部材は配球ノズルから配球されたパチンコ球を前記遊技台方向に流下させるようにしたことを特徴とする付記７に記載の遊技機。
このように構成すればパチンコ球は速やかにパチンコ球受け皿上に落下することとなる。
（９）前記棚部材は配球ノズルから配球されたパチンコ球を前記遊技台方向であって左右方向に拡散させるように三次元的な傾斜が設けられていることを特徴とする付記８に記載の遊技機。
このように構成すればパチンコ球は広く拡散しながら速やかにパチンコ球受け皿上に落下することとなる。
（１０）前記配球ノズルから配球されるパチンコ球はパチンコ球受け皿上の上流側に向かって放出されることを特徴とする付記３〜９のいずれかに記載の遊技機。  このような構成であれば配球ノズルから放出されたパチンコ球はパチンコ球受け皿上により広範囲に拡がって流下することができ球詰まりが生じにくくなる。
（１１）前記緩衝機構の落下するパチンコ球の当接する当接面には緩衝部材を配設したことを特徴とする付記３〜１０のいずれかに記載の遊技機。
このように構成するとパチンコ球の跳ねる音が抑制されることとなる。
（１２）前記球受け部材は前記扉枠に対して片持ちに回動可能に装着されパチンコ球受け皿上から退避した退避位置と配球ノズルからの配球を受けうる使用位置との両位置を取りうることを特徴とする付記３〜１１のいずれかに記載の遊技機。
（１３）前記扉枠には所望の前記球受け部材を装着可能とする係止手段を設けたことを特徴とする付記３〜１２のいずれかに記載の遊技機。
係止手段とは例えば挿入片１０５や軸受け１４９が挙げられる。
（１４）前記パチンコ球受け皿上には前記球受け部材から落下するパチンコ球を上流に導くパチンコ球逆流手段が設けられていることを特徴とする付記３〜１３のいずれかに記載の遊技機。
【００３６】
（１５）  前記供給補助手段とは前記パチンコ球受け皿上方であって前記扉枠に形成された通路であって、同通路を介してパチンコ球が同パチンコ球受け皿に導かれるようにしたことを特徴とする付記３に記載の遊技機。
これによって配球ノズルから配球されるパチンコ球をこぼさずに安定してパチンコ球受け皿に供給することが可能となるとともに扉枠に別体で供給補助手段を設ける必要がなくなる。
（１６）  前記供給補助手段とは前記パチンコ球受け皿上方であって前記扉枠に形成された切り欠き部と同切り欠き部内に形成された流下通路であって、同流下通路を介してパチンコ球が同パチンコ球受け皿に導かれるようにしたことを特徴とする付記３に記載の遊技機。
実施の形態１のサンド用受け皿１０１のように扉枠７から前方に飛び出した別体の供給補助手段を設けるのは遊技者にとって邪魔と感じる場合がある可能性がある。また、サンド用受け皿１０１は通常容易には取り外しができないはずであるが、なかには無理矢理サンド用受け皿１０１を外してしまう遊技者がいないとも限らない。切り欠き１１０であれば少なくとも前方に突出することはなのでこのような問題は全くなくなる。
（１７）前記切り欠き部前面は着脱可能な蓋部材によって封塞可能とされていることを特徴とする付記１５又は１６に記載の遊技機。
これによってパチンコ球貸し出し装置を使用しないＣＲ機のようなパチンコ遊技機に応用する場合には球受け部材を取り外して使用することが可能となり汎用性が増す。
（１８）前記流下通路は遊技機本体方向からパチンコ球受け皿にパチンコ球を誘導する主通路に連通されていることを特徴とする付記１６に記載の遊技機。
このように流下通路は主通路に連通されるため、配球ノズルから配球されるパチンコ球用の新たな開口部をパチンコ球受け皿近傍に設ける必要がない。
（１９）前記切り欠き部内には回動して当接する配球ノズルの衝撃を抑制する緩衝部材を配設したことを特徴とする付記１５〜１８のいずれかに記載の遊技機。
【００３７】
【図面の簡単な説明】
【図１】  本発明の実施の形態のパチンコ遊技機の開放した状態を示す概略斜視図。
【図２】  同じパチンコ遊技機の分解側面図。
【図３】  同じパチンコ遊技機の正面図。
【図４】  同じパチンコ遊技機の側面図。
【図５】  同じパチンコ遊技機の扉枠を外した状態の正面図。
【図６】  同じパチンコ遊技機の遊技盤の正面図。
【図７】  同じパチンコ遊技機の遊技機本体の上半身の正面図。
【図８】  同じパチンコ遊技機の遊技機本体の上半身の側断面図。
【図９】  同じパチンコ遊技機の背面図。
【図１０】  同じパチンコ遊技機の機構盤を外した状態の背面図。
【図１１】  図１０においてメイン基板周辺を取り外した状態の背面図。
【図１２】  同じパチンコ遊技機のパチンコ球処理領域付近の斜め上方からの斜視図。
【図１３】  図５におけるＡ−Ａ線での断面図。
【図１４】  図５におけるＡ−Ａ線での断面図。
【図１５】  図５におけるＢ−Ｂ線での断面図。
【図１６】  同じパチンコ遊技機の主通路、バイパス通路及び導出口の断面図。
【図１７】  図５におけるＣ−Ｃ線での断面図。
【図１８】  同じパチンコ遊技機の上受け皿の平面図。
【図１９】  同じパチンコ遊技機の上受け皿の断面図。
【図２０】  サンド用受け皿の斜視図。
【図２１】  サンド用受け皿の縦断面図。
【図２２】  サンド用受け皿の横断面図。
【図２３】  サンド用受け皿の平面図。
【図２４】  サンド用受け皿を装着するパチンコ遊技機の扉枠及び上受け皿付近の拡大平断面図。
【図２５】  サンド用受け皿を装着するパチンコ遊技機の扉枠付近の拡大正面図。
【図２６】  実施の形態２のサンド用受け皿の斜視図。
【図２７】  実施の形態２のサンド用受け皿の内部構造を説明する説明図。
【図２８】  実施の形態３のサンド用受け皿の斜視図。
【図２９】  実施の形態３のサンド用受け皿の内部構造を説明する説明図。
【図３０】  実施の形態４のサンド用受け皿の斜視図。
【図３１】  実施の形態４のサンド用受け皿の内部構造を説明する説明図。
【図３２】  切り欠きが形成された実施の形態５のパチンコ遊技機の正面図。
【図３３】  実施の形態６の切り欠き周辺の部分斜視図。
【図３４】  図３２のＤ−Ｄ線で切断した扉枠周辺の説明図。
【図３５】  蓋部材の平面図。
【図３６】  蓋部材の断面図。
【図３７】  蓋部材の斜視図であって（ａ）は表面側（ｂ）は裏面側からの図。
【図３８】  実施の形態６の切り欠きに蓋部材を装着した状態のパチンコ遊技機の扉枠付近の拡大正面図。
【図３９】  他の実施の形態のサンド用受け皿を装着するパチンコ遊技機の扉枠及び上受け皿付近の拡大平断面図。
【図４０】  他の実施の形態であるパチロットの正面図。
【図４１】  他の実施の形態であるパチロットの正面図。
【図４２】  実施の形態７のパチンコ遊技機の上受け皿の平面図。
【図４３】  図４２のＥ−Ｅ線で切断した上受け皿周辺の説明図。
【図４４】  実施の形態５のサンド用受け皿の斜視図。
【図４５】  実施の形態５のサンド用受け皿の斜視図。
【図４６】  実施の形態５のパチンコ遊技機の上受け皿周辺の平面図。
【図４７】  実施の形態５のサンド用受け皿を所定位置に配置した状態のパチンコ遊技機の上受け皿周辺の平面図。
【図４８】  従来のパチンコ遊技機のパチンコ球貸し出し装置から上受け皿へのパチンコ球の配球状態を説明する説明図。
【符号の説明】
１…支持枠体としての外枠、４…遊技台としての遊技機本体、５…遊技盤、７…扉枠、８…パチンコ球受け皿としての上受け皿、２０…遊技面、１０１…供給補助手段としてのサンド用受け皿、１１０…供給補助手段の一部をなす切り欠き、１１１…供給補助手段の一部をなす連通口、１１２…供給補助手段の一部をなす通路。
【図１】
0004725698.tif 000002
【図２】
0004725698.tif 000003
【図３】
0004725698.tif 000004
【図４】
0004725698.tif 000005
【図５】
0004725698.tif 000006
【図６】
0004725698.tif 000007
【図７】
0004725698.tif 000008
【図８】
0004725698.tif 000009
【図９】
0004725698.tif 000010
【図１０】
0004725698.tif 000011
【図１１】
0004725698.tif 000012
【図１２】
0004725698.tif 000013
【図１３】
0004725698.tif 000014
【図１４】
0004725698.tif 000015
【図１５】
0004725698.tif 000016
【図１６】
0004725698.tif 000017
【図１７】
0004725698.tif 000018
【図１８】
0004725698.tif 000019
【図１９】
0004725698.tif 000020
【図２０】
0004725698.tif 000021
【図２１】
0004725698.tif 000022
【図２２】
0004725698.tif 000023
【図２３】
0004725698.tif 000024
【図２４】
0004725698.tif 000025
【図２５】
0004725698.tif 000026
【図２６】
0004725698.tif 000027
【図２７】
0004725698.tif 000028
【図２８】
0004725698.tif 000029
【図２９】
0004725698.tif 000030
【図３０】
0004725698.tif 000031
【図３１】
0004725698.tif 000032
【図３２】
0004725698.tif 000033
【図３３】
0004725698.tif 000034
【図３４】
0004725698.tif 000035
【図３５】
0004725698.tif 000036
【図３６】
0004725698.tif 000037
【図３７】
0004725698.tif 000038
【図３８】
0004725698.tif 000039
【図３９】
0004725698.tif 000040
【図４０】
0004725698.tif 000041
【図４１】
0004725698.tif 000042
【図４２】
0004725698.tif 000043
【図４３】
0004725698.tif 000044
【図４４】
0004725698.tif 000045
【図４５】
0004725698.tif 000046
【図４６】
0004725698.tif 000047
【図４７】
0004725698.tif 000048
【図４８】
0004725698.tif 000049